(57)【要約】【課題】ジッタを積極的に用いてデータを伝送することができるシステム及び方法並びに光ディスク装置を提供する。【解決手段】送信側メモリ１０に記憶された第１データを信号送信器１４で送信するとともに、送信側メモリ２２に記憶された第２データのデータ値に応じて、データ長のズレ量を信号波形ズレ量発生器２６で発生し、信号送信器１４から送信する。受信側では第１データを復調するとともに、タイムインターバルアナライザ２８でズレ量を検出して第２データを復調する。【選択図】図１
2015005320.tif 000002
【特許請求の範囲】
【請求項１】
第１データを基準データ長で送信するとともに、前記第１データと異なる第２データを前記基準データ長にズレ量を付加した付加データ長で送信する送信手段と、
前記送信手段から送信された信号を受信し、受信した信号から前記基準データ長を検出することで前記第１データを取得するとともに、前記付加データ長のズレ量を検出することで前記第２データを取得する受信手段と、
を備えることを特徴とする情報伝送システム。
【請求項２】
請求項１記載の情報伝送システムにおいて、
前記送信手段は、
前記第２データのデータ値とズレ量との対応関係を記憶する手段と、
前記対応関係を用いて前記第２データに対応するズレ量を設定して前記付加データ長を生成する手段と、
を備え、
前記受信手段は、
前記第２データのデータ値とズレ量との対応関係を記憶する手段と、
前記対応関係を用いて前記付加データから検出されたズレ量に対応する前記第２データを得る手段と、
を備えることを特徴とする情報伝送システム。
【請求項３】
請求項２記載の情報伝送システムにおいて、
前記対応関係は、前記第２データのデータ値と、特定データのデータ長のみに付加されたズレ量との対応関係である
ことを特徴とする情報伝送システム。
【請求項４】
請求項２記載の情報伝送システムにおいて、
前記対応関係は、前記第２データのデータ値と、複数のデータからなるパターンのうち少なくともいずれかのデータのデータ長に付加されたズレ量との対応関係である
ことを特徴とする情報伝送システム。
【請求項５】
請求項３，４のいずれかに記載の情報伝送システムにおいて、
前記ズレ量には、大きさの異なるズレ量と符号の異なるズレ量の少なくともいずれかが含まれる
ことを特徴とする情報伝送システム。
【請求項６】
請求項１〜５のいずれかに記載の情報伝送システムにおいて、
前記送信手段は、特定期間は前記ズレ量を付加しないで前記第１データのみを送信し、前記特定期間以外の期間において前記ズレ量を付加して前記第１データ及び前記第２データを送信し、
前記受信手段は、検出したズレ量から前記特定期間において取得したジッタ成分を差し引いて得られるズレ量を用いて前記第２データを取得する
ことを特徴とする情報伝送システム。
【請求項７】
請求項１〜５のいずれかに記載の情報伝送システムにおいて、
前記受信手段は、所定サンプリング期間で集計したデータ長の平均値を用いて前記ズレ量を検出する
ことを特徴とする情報伝送システム。
【請求項８】
第１データを所定の記録ストラテジで基準データ長の記録パルスに変換して光ディスクに記録するとともに、前記第１データと異なる第２データを前記基準データ長にズレ量を付加した付加データ長の記録パルスに変換して前記光ディスクに記憶する記録手段と、
前記光ディスクを再生して得られる再生信号から前記基準データ長を検出することで前記第１データを復調するとともに、前記付加データ長のズレ量を検出することで前記第２データを復調する再生手段と、
を備えることを特徴とする光ディスク装置。
【請求項９】
請求項８記載の光ディスク装置において、
前記記録手段は、前記第２データのデータ値と、特定データのデータ長のみに付加されたズレ量との対応関係を用いて前記第２データに対応するズレ量を設定して前記付加データ長の記録パルスに変換し、
前記再生手段は、前記対応関係を用いて前記第２データを復調する
ことを特徴とする光ディスク装置。
【請求項１０】
請求項８記載の光ディスク装置において、
前記記録手段は、前記第２データのデータ値と、複数のデータからなるパターンのうち少なくともいずれかのデータのデータ長に付加されたズレ量との対応関係を用いて前記第２データに対応するズレ量を設定して前記付加データ長の記録パルスに変換し、
前記再生手段は、前記対応関係を用いて前記第２データを復調する
ことを特徴とする光ディスク装置。
【請求項１１】
請求項８〜１０のいずれかに記載の光ディスク装置において、
前記記録手段は、前記光ディスクの特定アドレスでは前記ズレ量を付加しないで前記第１データのみを記録し、前記特定アドレス以外のアドレスにおいて前記ズレ量を付加して前記第１データ及び前記第２データを記録し、
前記再生手段は、検出したズレ量から前記特定アドレスにおいて取得したジッタ成分を差し引いて得られるズレ量を用いて前記第２データを復調する
ことを特徴とする光ディスク装置。
【請求項１２】
第１データを基準データ長で送信するとともに、前記第１データと異なる第２データを前記基準データ長にズレ量を付加した付加データ長で送信し、
送信された信号を受信し、受信した信号から前記基準データ長を検出することで前記第１データを取得するとともに、前記付加データ長のズレ量を検出することで前記第２データを取得する
ことを特徴とする情報伝送方法。
【発明の詳細な説明】
【技術分野】
【０００１】
本発明は、情報伝送システム及び情報伝送方法並びに光ディスク装置に関し、特にジッタを利用して情報を伝送する技術に関する。
【背景技術】
【０００２】
情報を隠蔽して光ディスク等のメディアに記録する場合、メディアの管理情報エリアを改竄して、通常の手順ではユーザデータを読ませないようにする、あるいはファイルを暗号化する等の方法が採用される。但し、これらの方法では、ユーザデータが存在していること自体は把握可能である。
【０００３】
下記の特許文献１には、光ディスク装置におけるストラテジやレーザパワーのパラメータ設定について記載されており、マーク・スペースを１組として、そのマーク幅の値とスペース幅の値を複数組サンプリングし、複数組のマーク幅の値とスペース幅の値をそれぞれ集計した集計データに基づいて符号間干渉を解析することで、ストラテジやレーザパワーの最適な設定値を自動算出することが記載されている。
【先行技術文献】
【特許文献】
【０００４】
【特許文献１】特開２００６−０１２３３３号公報
【発明の概要】
【発明が解決しようとする課題】
【０００５】
ところで、一般に、時間軸方向での信号波形の揺らぎをジッタといい、デジタル信号の場合、符号間干渉により同一の信号データパターンで常に一定量のずれ・ジッタが発生する。従来は、送信装置と受信装置との間のデータ伝送において、このような符号間干渉によるジッタが発生しないように設計が行われているが、このような符号間干渉を抑制するのではなく、むしろこれを積極的に活用して情報の隠蔽等に活用することができれば望ましい。
【０００６】
本発明の目的は、時間軸方向の信号波形揺らぎであるジッタを積極的に用いてデータを伝送するシステム及び方法並びに光ディスク装置を提供することにある。
【課題を解決するための手段】
【０００７】
本発明の情報伝送システムは、第１データを基準データ長で送信するとともに、前記第１データと異なる第２データを前記基準データ長にズレ量を付加した付加データ長で送信する送信手段と、前記送信手段から送信された信号を受信し、受信した信号から前記基準データ長を検出することで前記第１データを取得するとともに、前記付加データ長のズレ量を検出することで前記第２データを取得する受信手段とを備えることを特徴とする。
【０００８】
本発明では、基準データ長により第１データを伝送するとともに、基準データ長に付加されたズレ量で第２データを伝送する。従って、ズレ量を単なるジッタと認識する限りにおいては第２データを認識することができず、ズレ量に有意の情報が含まれていると認識する場合にはズレ量を用いて第２データを認識できる。
【０００９】
本発明の１つの実施形態では、前記送信手段は、前記第２データのデータ値とズレ量との対応関係を記憶する手段と、前記対応関係を用いて前記第２データに対応するズレ量を設定して前記付加データ長を生成する手段とを備え、前記受信手段は、前記第２データのデータ値とズレ量との対応関係を記憶する手段と、前記対応関係を用いて前記付加データから検出されたズレ量に対応する前記第２データを得る手段とを備えることを特徴とする。
【００１０】
本発明の他の実施形態では、前記対応関係は、前記第２データのデータ値と、特定データのデータ長のみに付加されたズレ量との対応関係であることを特徴とする。
【００１１】
本発明のさらに他の実施形態では、前記対応関係は、前記第２データのデータ値と、複数のデータからなるパターンのうち少なくともいずれかのデータのデータ長に付加されたズレ量との対応関係であることを特徴とする。
【００１２】
本発明のさらに他の実施形態では、前記ズレ量には、大きさの異なるズレ量と符号の異なるズレ量の少なくともいずれかが含まれることを特徴とする。
【００１３】
本発明のさらに他の実施形態では、前記送信手段は、特定期間は前記ズレ量を付加しないで前記第１データのみを送信し、前記特定期間以外の期間において前記ズレ量を付加して前記第１データ及び前記第２データを送信し、前記受信手段は、検出したズレ量から前記特定期間において取得したジッタ成分を差し引いて得られるズレ量を用いて前記第２データを取得することを特徴とする。
【００１４】
本発明のさらに他の実施形態では、前記受信手段は、所定サンプリング期間で集計したデータ長の平均値を用いて前記ズレ量を検出することを特徴とする。
【００１５】
また、本発明の光ディスク装置は、第１データを所定の記録ストラテジで基準データ長の記録パルスに変換して光ディスクに記録するとともに、前記第１データと異なる第２データを前記基準データ長にズレ量を付加した付加データ長の記録パルスに変換して前記光ディスクに記憶する記録手段と、前記光ディスクを再生して得られる再生信号から前記基準データ長を検出することで前記第１データを復調するとともに、前記付加データ長のズレ量を検出することで前記第２データを復調する再生手段とを備えることを特徴とする。
【００１６】
本発明の１つの実施形態では、前記記録手段は、前記第２データのデータ値と、特定データのデータ長のみに付加されたズレ量との対応関係を用いて前記第２データに対応するズレ量を設定して前記付加データ長の記録パルスに変換し、前記再生手段は、前記対応関係を用いて前記第２データを復調することを特徴とする。
【００１７】
本発明の他の実施形態では、前記記録手段は、前記第２データのデータ値と、複数のデータからなるパターンのうち少なくともいずれかのデータのデータ長に付加されたズレ量との対応関係を用いて前記第２データに対応するズレ量を設定して前記付加データ長の記録パルスに変換し、前記再生手段は、前記対応関係を用いて前記第２データを復調することを特徴とする。
【００１８】
本発明のさらに他の実施形態では、前記記録手段は、前記光ディスクの特定アドレスでは前記ズレ量を付加しないで前記第１データのみを記録し、前記特定アドレス以外のアドレスにおいて前記ズレ量を付加して前記第１データ及び前記第２データを記録し、前記再生手段は、検出したズレ量から前記特定アドレスにおいて取得したジッタ成分を差し引いて得られるズレ量を用いて前記第２データを復調することを特徴とする。
【００１９】
また、本発明の情報伝送方法は、第１データを基準データ長で送信するとともに、前記第１データと異なる第２データを前記基準データ長にズレ量を付加した付加データ長で送信し、送信された信号を受信し、受信した信号から前記基準データ長を検出することで前記第１データを取得するとともに、前記付加データ長のズレ量を検出することで前記第２データを取得することを特徴とする。
【発明の効果】
【００２０】
本発明によれば、符号間干渉あるいはジッタを積極的に用いてデータを伝送することができる。
【図面の簡単な説明】
【００２１】
【図１】情報伝送システムの基本構成図である。
【図２】ズレ量が付加された信号波形説明図である。
【図３】５Ｔマークにズレ量が付加された信号波形説明図である。
【図４】サンプリング期間のデータ長（信号長）の平均値を示す図である。
【図５】第２データのデータ値とズレ量との対応関係を示す図である。
【図６】第２データのデータ値とズレ量との対応関係を示す図である。
【図７】第２データのデータ値とズレ量との対応関係を示す図である。
【図８】第２データのデータ値とズレ量との対応関係を示す図である。
【図９】光ディスク装置の構成図である。
【発明を実施するための形態】
【００２２】
以下、図面に基づき本発明の実施形態について説明する。
【００２３】
まず、本実施形態の基本原理について説明する。従来は、上記のように送信装置と受信装置との間のデータ伝送において、符号間干渉によるジッタが発生しないように設計が行われているが、本実施形態では、ジッタを積極的に用い、これに情報を含ませて送信側から受信側に情報を伝送する。
【００２４】
図１に、本実施形態のシステム構成図を示す。
【００２５】
送信装置として、送信側メモリ１０（送信側メモリ１）、エンコーダ１２（エンコーダ１）、信号送信器１４を備えるとともに、送信側メモリ２２（送信側メモリ２）、エンコーダ２４（エンコーダ２）、信号波形ズレ量発生器２６を備える。
【００２６】
受信装置として、信号受信器１６、デコーダ１８（デコーダ１）、受信側メモリ２０（受信側メモリ１）を備えるとともに、タイムインターバルアナライザ２８、デコーダ３０（デコーダ２）、受信側メモリ３２（受信側メモリ２）を備える。
【００２７】
送信装置の送信側メモリ１０、エンコーダ１２、信号送信器１４と、受信装置の信号受信器１６、デコーダ１８、受信側メモリ２０で通常の伝送系を構成し、送信側メモリ２２、エンコーダ２４、信号波形ズレ量発生器２６と、受信装置のタイムインターバルアナライザ２８、デコーダ３０、受信側メモリ３２とで本実施形態の符号間干渉を用いた伝送系１を構成する。
【００２８】
通常の伝送系に関しては、送信側メモリ１０は、伝送すべきデータを記憶する。エンコーダ１２は、送信側メモリ１０に記憶されたデータを読み出して所定の方式（送信装置の種類に応じた符号化方式）で誤り訂正符号を付加しつつエンコードして信号送信器１４に出力する。信号送信器１４は、有線あるいは無線によりエンコードされたデータを受信装置側に送信する。信号受信器１６は、有線あるいは無線で送信されたデータを受信してデコーダ１８に出力する。デコーダ１８は、受信したデータを所定の方式（受信装置がサポートする受信データに対応した復号化方式）で訂正検出及びデコードして受信側メモリ２０に出力する。受信側メモリ２０は、デコードされたデータを記憶する。
【００２９】
他方、符号間干渉を用いた伝送系に関しては、送信側メモリ２２は、符号間干渉で伝送すべきデータを記憶する。エンコーダ２４は、送信側メモリ２２からデータを読み出してエンコードし、信号波形ズレ量発生器２６に出力する。信号波形ズレ量発生器２６は、エンコードされたデータに応じて信号波形ズレ、すなわちジッタを生成して信号送信器１４に出力する。具体的には、信号波形ズレ量発生器２６は、予め特定の信号データパターンとズレ量との関係をテーブルとして記憶しておき、このテーブルに基づいて１データ毎にズレ量に変換して出力する。信号送信器１４は、エンコーダ１２からのデータに応じて伝送信号波形を生成するとともに、信号波形ズレ量発生器２６で生成されたズレ量、すなわちジッタを含むように伝送信号波形を生成して受信装置側に伝送する。タイムインターバルアナライザ２８は、信号受信器１６で受信した信号波形のタイムインターバル、つまりデータ長を解析し、信号に含まれるジッタを検出してデコーダ３０に出力する。デコーダ３０は、検出されたジッタをデコードしてデータを復調し、受信側メモリ３２に出力する。受信側メモリ３２は、復調したデータを記憶する。
【００３０】
送信側メモリ２２に記憶されるデータは送信側メモリ１０に記憶されるデータとは別個のデータであり、伝送信号のジッタに埋め込まれて暗号化されたデータである。従って、仮に信号送信器１４から伝送された信号を第三者が受信しても、受信した信号のジッタに着目しない限り、本来のデータとは異なる別のデータが含まれていることを認識できない。このことは、符号間干渉を用いた伝送系により、本来のデータとは別に、情報を隠蔽して送信側から受信側に伝送できることを意味する。
【００３１】
なお、本実施形態では、信号波形ズレ量発生器２６により意図的にズレ量を発生させているが、これとは別に信号送信器１４から伝送される信号には本来のズレ量も存在し得る。そこで、符号間干渉により生じるズレ量と、信号波形ズレ量発生器２６により付加されたズレ量とを判別するために、最初のサンプリング期間では、基準値として各信号パターンにズレ量を印加せずに信号を伝送する。そして、次のサンプリング期間以降からは、特定の信号データパターンにズレ量を印加し、サンプリング期間毎に更新して全データを送信する。受信装置では、最初のサンプリング期間で得られた各データパターンのデータ長を基準値として、次のサンプリング期間以降で得られた各データパターンのデータ長と基準値との差分をとることで、意図的に印加されたズレ量を検出する。
【００３２】
また、本実施形態において、信号伝送中の各種要因によりデータ長にばらつきが生じ得るため、サンプリング期間中において各データパターンのデータ長の統計をとり、そのデータの平均を用いるのが好適である。
【００３３】
以下では、伝送すべき本来のデータを第１データ、本来のデータとは別個の、符号間干渉あるいはジッタを用いて伝送されるデータを第２データと称する。第２データは、密かに伝送されるデータであるから第２データあるいは秘匿データということもできる。
【００３４】
図２に、マーク（閾値レベルより上のレベルあるいは論理値「１」）とスペース（閾値レベルより下のレベルあるいは論理値「０」）で第１データを伝送するとともに、信号波形の時間軸方向のズレ、すなわちジッタで第２データを伝送する場合の信号波形を示す。
【００３５】
図２（ａ）は、データパターンとして、（１Ｔスペース＋５Ｔマーク）のパターンであり、１Ｔスペース及び５Ｔマークのいずれにもズレ量を付加しない場合である。
【００３６】
図２（ｂ）は、同じ（１Ｔスペース＋５Ｔマーク）のパターンにおいて、５Ｔマークの長さをΔＴだけ短くしてズレ量を付加した場合である。５Ｔマークの長さが５Ｔ−ΔＴとΔＴだけずれている。
【００３７】
図２（ｃ）は、同じ（１Ｔスペース＋５Ｔマーク）のパターンにおいて、５Ｔマークの長さをΔＴだけ長くしてズレ量を付加した場合である。５Ｔマークの長さが５Ｔ＋ΔＴとΔＴだけずれている。
【００３８】
ズレ量の大きさ及び符号を変えることで、第２データを変化させることができる。例えば、ズレ量がΔＴの場合には第２データ「１」、ズレ量が−ΔＴの場合には第２データ「２」等である。
【００３９】
図３に、（１Ｔスペース＋５Ｔマーク）のパターンにおいて、５Ｔマークの長さをΔＴだけ長くしてズレ量を付加した場合の信号波形の詳細を示す。図３（ａ）は、信号波形であり、図３（ｂ）は、図３（ａ）の信号波形を閾値を用いて二値化した波形である。５Ｔマークのデータ長は、例えば５．１Ｔとして検出される。このような波形は、意図的にズレ量を付加しなくても符号間干渉により生じ得る波形である。そこで、上述したように、最初のサンプリング期間においてズレ量を付加せずに信号を伝送し、この符号間干渉によるズレ量を基準値として、付加されたズレ量＝（検出されたズレ量−基準値）により付加されたズレ量のみを検出すればよい。
【００４０】
ズレ量の大きさに関しては任意であるが、ズレ量が±５／１０Ｔ以上となるとデータ長を誤判別してしまうため、ズレ量の大きさは±５／１０Ｔ未満とするのが望ましい。さらに、データ長のバラツキや通常の伝送系のデコーダ１８でエラーが発生しないように、ズレ量の最小値及び最大値を設定するのが望ましい。例えば、ズレ量の最小値（絶対値）を２／１０Ｔとし、ズレ量の最大値（絶対値）を５／１０Ｔとする等である。付加すべきズレ量の最小値は、上記の基準値、つまり意図的にズレ量を付加しない場合のジッタ量よりも大きくする。
【００４１】
図４に、サンプリング期間で集計した特定データパターン（例えば、１Ｔスペース＋５Ｔマークのパターン）のデータ長平均値を示す。図４（ａ）は、特定のデータパターンにズレ量を付加しない場合であり、データ長の平均値はある基準値となる。図４（ｂ）は、特定のデータパターンにプラスのズレ量を付加した場合であり、データ長の平均値は図４（ａ）の基準値よりも長くなる。図４（ｃ）は、特定のデータパターンにマイナスのズレ量を付加した場合であり、データ長の平均値は図４（ａ）の基準値よりも短くなる。
【００４２】
このように、データ長にバラツキが生じたとしても、サンプリング期間中に各データパターンのデータ長の平均を算出することで、付加されたズレ量を確実に検出できる。なお、サンプリング期間中に、特定の信号パターンの度数が十分にとれるようにサンプリング期間を設定することは言うまでもない。
【００４３】
次に、信号波形ズレ量発生器２６においてズレ量を設定する際に用いられる、第２データとズレ量との関係について説明する。
【００４４】
図５に、１サンプリング期間中において、１データパターンのみのデータ長にズレ量を付加する場合の例を示す。４Ｔマーク、３Ｔマーク、２Ｔマークに着目し、これらのいずれかにズレ量を付加し、第２データと対応付ける。
【００４５】
例えば、第２データ「０」に対しては、４Ｔマーク、３Ｔマーク、２Ｔマークのいずれのデータ長も標準長（基準データ長）、つまりズレ量を付加しないものとする。
【００４６】
第２データ「１」に対しては、４Ｔマーク、３Ｔマークのデータ長は標準長（基準データ長）とするが、２Ｔマークについてはプラスのズレ量を付加してデータ長を標準長よりも長めに設定する。具体的には、
４Ｔマーク：基準データ長の４Ｔ
３Ｔマーク：基準データ長の３Ｔ
２Ｔマーク：基準データ長の２Ｔに対し、２Ｔ＋ΔＴ
である。ΔＴはプラスのズレ量を示す。
【００４７】
第２データ「２」に対しては、４Ｔマーク、２Ｔマークのデータ長は標準長とするが、３Ｔマークについてはプラスのズレ量を付加してデータ長を標準長よりも長めに設定する。具体的には、
４Ｔマーク：基準データ長の４Ｔ
３Ｔマーク：基準データ長の３Ｔに対し、３Ｔ＋ΔＴ
２Ｔマーク：基準データ長の２Ｔ
である。
【００４８】
第２データ「３」に対しては、３Ｔマーク、２Ｔマークのデータ長は標準長とするが、４Ｔマークについてはプラスのズレ量を付加してデータ長を標準長よりも長めに設定する。具体的には、
４Ｔマーク：基準データ長の４Ｔに対し、４Ｔ＋ΔＴ
３Ｔマーク：基準データ長の３Ｔ
２Ｔマーク：基準データ長の２Ｔ
である。
【００４９】
図６に、１サンプリング期間中において、３データパターンのデータ長にズレ量を付加する場合の例を示す。４Ｔマーク、３Ｔマーク、２Ｔマークに着目し、これらの少なくともいずれかにズレ量を付加し、第２データと対応付ける。
【００５０】
例えば、第２データ「３」に対しては、４Ｔマークのデータ長は標準長とするが、３Ｔマーク及び２Ｔマークのデータ長にプラスのズレ量を付加してデータ長を標準長よりも長めに設定する。
【００５１】
第２データ「５」に対しては、３Ｔマークのデータ長は標準長とするが、４Ｔマーク及び２Ｔマークのデータ長にプラスのズレ量を付加してデータ長を標準長よりも長めに設定する。
【００５２】
第２データ「７」に対しては、４Ｔマーク、３Ｔマーク、２Ｔマークのデータ長にプラスのズレ量を付加してデータ長を標準長よりも長めに設定する。
【００５３】
図７に、特定の信号データパターンのみに多値のズレ量を付加する場合の例を示す。例えば、２Ｔマークのみにズレ量を付加する場合である。
【００５４】
例えば、第２データ「０」に対しては、２Ｔマークに＋２／１０Ｔのズレ量を付加してデータ長を長めに設定する。
【００５５】
第２データ「１」に対しては、２Ｔマークに＋１／１０Ｔのズレ量を付加してデータ長を長めに設定する。
【００５６】
第２データ「２」に対しては、２Ｔマークに−１／１０Ｔのズレ量を付加してデータ長を短めに設定する。
【００５７】
第２データ「３」に対しては、２Ｔマークに−２／１０Ｔのズレ量を付加してデータ長を短めに設定する。
【００５８】
信号波形ズレ量発生器２６は、図５〜図７に示すテーブルのいずれかを用いて第２データをズレ量に変換して信号送信器１４に出力する。なお、図５及び図６においては、プラスのズレ量を付加してデータ長を長めに設定しているが、図７と同様に付加すべきズレ量の大きさ及び符号を変化させてもよい。
【００５９】
図８に、第２データとズレ量の対応関係をまとめて示す。１サンプリング期間中１データパターンのみを変更する場合と、１サンプリング期間中３データパターンを変更する場合のそれぞれについて示す。
【００６０】
１サンプリング期間中１データパターンのみを変更する場合、４Ｔマーク、３Ｔマーク、２Ｔマークのいずれかのデータ長に＋１／１０Ｔあるいは−１／１０Ｔの多値のズレ量を付加する。また、１サンプリング期間中３データパターンを変更する場合、４Ｔマーク、３Ｔマーク、２Ｔマークの少なくともいずれかのデータ長に＋１／１０Ｔあるいは−１／１０Ｔの多値のズレ量を付加する。図８において、付加すべきズレ量として、さらに＋ｎ／１０Ｔあるいは−ｎ／１０Ｔ（但し、ｎ＝２，３，４、・・・）を用いることで、第２データの数を増やすことができる。
【００６１】
このように、本実施形態では、１個あるいは複数個のデータパターンの中から少なくともいずれかのデータパターンを選択し、選択したデータパターンのデータ長に意図的にプラスあるいはマイナスのズレ量を付加することで第２データを埋め込んで第１データとともに伝送するので、データが埋め込まれていることを知らない第三者が伝送された情報を不正に取得しても、第１データは認識できても第２データを認識することができず、第２データの安全性が確保される。また、第１データ（ユーザデータ）は通常通り伝送されるので、ジッタの量・分布による情報分だけ伝送される情報量が増えることになる。
【００６２】
次に、本実施形態の伝送技術を光ディスク装置に適用した例について説明する。
【００６３】
図９に、光ディスク装置の構成ブロック図を示す。ＤＶＤ等の光ディスク５０はスピンドルモータで回転駆動され、光ピックアップ５２から照射される記録レーザ光でデータを書き込み、再生レーザ光でデータを読み取る。
【００６４】
記録系として、記録用メモリ５４（記録用メモリ１）、エンコーダ５６（エンコーダ１）、信号処理回路５８に加え、記録用メモリ７０（記録用メモリ２）、エンコーダ７２（エンコーダ２）、信号波形ズレ量発生器７４を備える。記録用メモリ７０と、エンコーダ７２と、信号波形ズレ量発生器７４が符号間干渉を用いた伝送記録系２を構成する。図１の構成と対比すると、記録用メモリ７０は送信側メモリ２２に対応し、エンコーダ７２はエンコーダ２４に対応し、信号波形ズレ量発生器７４は信号波形ズレ量発生器２６に対応する。
【００６５】
再生系として、再生用メモリ６０（再生用メモリ１）、デコーダ６２（デコーダ１）、信号処理回路６４に加え、再生用メモリ７６（再生用メモリ２）、デコーダ７８（デコーダ２）、タイムインターバルアナライザ８０を備える。再生用メモリ７６と、デコーダ７８と、タイムインターバルアナライザ８０が符号間干渉を用いた伝送再生系３を構成する。図１の構成と対比すると、タイムインターバルアナライザ８０はタイムインターバルアナライザ２８に対応し、デコーダ７８はデコーダ３０に対応し、再生用メモリ７６は受信側メモリ３２に対応する。
【００６６】
データ記録時には、記録用メモリ５４に記憶された第１データ、つまり記録すべき本来のデータを読み出してエンコーダ５６に出力し、エンコーダ５６は誤り訂正符号を付加して所定の形式（光ディスクの種類に応じた変調形式）でエンコードして信号処理回路５８に出力する。信号処理回路５８は、所定の記録ストラテジに基づいて記録パルスを生成し、光ピックアップ５２のレーザダイオード（ＬＤ）を駆動して光ディスク５０にデータを記録する。光ディスク５０がＤＶＤの場合、データのデータ長として１Ｔ〜１４Ｔが存在し、各Ｔのズレ量を調整する記録ストラテジのパラメータが存在する。記録ストラテジのパラメータは、ｎＴスペース＋ｍＴマーク（ｎ＝３〜１４／ｍ＝３〜１４）やｎＴマーク＋ｍＴスペース（ｎ＝３〜１４／ｍ＝３〜１４）である。この処理と並行して、記録用メモリ７０に記憶された第２データを読み出してエンコーダ７２に出力する。エンコーダ７２は、誤り訂正符号を付加して所定の形式でエンコードして信号波形ズレ量発生器７４に出力する。信号波形ズレ量発生器７４は、図５〜図８に示されるテーブルのいずれかを用いて第２データをズレ量に変換して信号処理回路５８に出力する。信号処理回路５８は、特定の記録データパターン、例えば２Ｔマークにズレ量を付加した記録パルスで光ディスク５０にデータを記録する。
【００６７】
なお、符号間干渉によるズレ量と意図的に付加したズレ量を判別するために、特定のアドレス（予め決められたアドレスでもよいし、任意に設定されるアドレスでもよい）に基準値として各記録データパターンにズレ量を付加しない記録パルスでデータを記録する。そして、それ以外のアドレスでは、特定の記録データパターンにズレ量を付加し、特定のレングス（サンプリング期間）毎に更新して全データを記録する。
【００６８】
データ再生時には、光ディスク５０から読み取ったＲＦ信号を信号処理回路６４で処理し、デコーダ６２でデコードして第１データを復調し、再生用メモリ６０に記憶する。この処理と並行して、タイムインターバルアナライザ８０は、読み取ったＲＦ信号のデータパターンからズレ量を検出する。タイムインターバルアナライザ８０は、図５〜図８に示されるテーブルのいずれか（つまり、信号波形ズレ量発生器７４で用いられるテーブルと同一のテーブル）を用いてズレ量を第２データに変換してデコーダ７８に出力する。この際、タイムインターバルアナライザ８０は、特定のアドレスに記録された各データパターンのデータ長の基準値を取得し、次にそれ以外のアドレスに記録されている各データパターンのデータ長を再生し、基準値との差分をとってズレ量を検出する。また、サンプリング期間中に、特定の信号データパターンの度数(個数)が十分にとれるように再生レングス（サンプリング期間）を設定する。デコーダ７８は、誤り検出訂正して復号化し、得られた第２データを再生用メモリ７６に記憶する。
【００６９】
本実施形態によれば、第１データ（ユーザデータ）、すなわちリードコマンドで再生できるデータには新規のデータを埋め込むことなく、ズレ量、つまりジッタにより別の第２データを埋め込んで光ディスク５０に記録することができる。従って、第２データが埋め込まれていることを知らない第三者が光ディスク５０を入手しても、当該第２データを認識することができない。
【００７０】
なお、光ディスク装置には、符号間干渉を測定できるタイムインターバルアナライザを備えているものがあるが、このタイムインターバルアナライザを図９のタイムインターバルアナライザ８０として援用することが可能である。
【００７１】
以上、本発明の実施形態について説明したが、本発明はこれに限定されず種々の変形が可能である。
【００７２】
例えば、本実施形態において、図１の送信側メモリ２２に記憶されるデータそのものを暗号化済のデータとし、この暗号化済のデータをエンコードして信号波形ズレ量に変換して受信側に送信してもよい。
【００７３】
また、光ディスク装置に適用する場合、データ記録時に、第１データに加えて第２データが記録されている何らかのフラグを、第１データに含めて光ディスク５０に記録してもよい。データ再生時には、第１データに含まれるフラグを検出することで、第１データに加えて第２データを再生する。フラグが存在しない場合には、第１データのみを再生する。
【００７４】
また、デジタルデータ伝送方式としては、ベースバンド方式と帯域伝送方式があるが、本発明はいずれの方式にも適用し得る。
【符号の説明】
【００７５】
１０  送信側メモリ、１２  エンコーダ、１４  信号送信器、１６  信号受信器、１８  デコーダ、２０  受信側メモリ、２２  送信側メモリ、２４  エンコーダ、２６  信号波形ズレ量発生器、２８  タイムインターバルアナライザ、３０  デコーダ、３２  受信側メモリ。
【図１】
2015005320.tif 000003
【図２】
2015005320.tif 000004
【図３】
2015005320.tif 000005
【図４】
2015005320.tif 000006
【図５】
2015005320.tif 000007
【図６】
2015005320.tif 000008
【図７】
2015005320.tif 000009
【図８】
2015005320.tif 000010
【図９】
2015005320.tif 000011